(57)【要約】  単位用量製品を収容しかつ分配するための２部品パッケージ。分配される製品は、外側スリーブに取り外し可能かつロック可能に係合する内側スライドカードに収容されている。パッケージは、チャイルドレジスタントを有しかつユーザフレンドリーである投薬手段であって使用時に多くの回数だけ開放されかつ閉鎖されそしてすべての用量が消費されると片付けられる投薬手段を提供する。
2011519787.tif 000002
【特許請求の範囲】
【請求項１】
一対の側面パネルと、内側区分パネルと、複数の折曲可能接続パネルと、からなる外側スリーブであって、前記側面パネル、前記内側区分パネル及び前記折曲可能接続パネルが、互いに動作可能に接続されており、前記内側区分パネルが、一対の前記側面パネル間に配置され、内側スライドカードを受けかつ収容することが可能な２つの別個の内側チャンバを画定する、外側スリーブを備え、
前記側面パネルそれぞれが、
当該側面パネルの一端部にある第１折曲可能延長部であって、当該第１折曲可能延長部が、スライドカードロック機構を有し、当該第１折曲可能延長部が、パッケージ底部から前記外側スリーブの内部に向けて折り曲げられる、第１折曲可能延長部と、
当該側面パネルの他端部にある第２折曲可能延長部であって、第２折曲可能延長部が、前記外側スリーブの内部に向けて折り曲げられて内側スライドカード保持要素を形成する、第２折曲可能延長部と、
前記スライドカードロック機構に近接して位置付けられた解放ボタンと、
を有することを特徴とするパッケージシステム。
【請求項２】
前記外側スリーブが、前記内側スライドカードを把持しかつ取り出すための一対のノッチをさらに有することを特徴とする請求項１に記載のパッケージシステム。
【請求項３】
前記外側スリーブが、ポリマーフィルム材料で少なくとも部分的に積層されていることを特徴とする請求項１に記載のパッケージシステム。
【請求項４】
前記ポリマーフィルム材料が、前記外側スリーブの全面にわたって積層されていることを特徴とする請求項３に記載のパッケージシステム。
【請求項５】
前記外側スリーブが、板紙またはプラスチック基板から構成されていることを特徴とする請求項１に記載のパッケージシステム。
【請求項６】
前記内側スライドカードが、１以上のブリスタパック、基板に熱融着されたブリスタパック、基板に接着された（例えばホットメルトされた）ブリスタパックまたはスロットが形成された基板に入れられたブリスタパックからなることを特徴とする請求項１に記載のパッケージシステム。
【請求項７】
前記外側スリーブの受容端部が、取り外されて内部に収容された前記内側スライドカードへのアクセスをもたらす１以上の折込式閉鎖部、穿孔された引裂式パネル及びセキュリティテープ付パネルのうちの１つからなる一時シールを有することを特徴とする請求項１に記載のパッケージシステム。
【請求項８】
パッケージシステムの少なくとも１つの内側スライドカードを収容するためのロック可能な外側スリーブを形成するためのブランクであって、
一対の側面パネルと、
複数の折曲可能接続パネルと、
を備え、
前記側面パネルそれぞれが、
前記側面パネルの一端部にある第１折曲可能延長部であって、当該第１折曲可能延長部が、スライドカードロック機構を有する、第１折曲可能延長部と、
前記側面パネルの他端部にある第２折曲可能延長部であって、当該第２折曲可能延長部が、前記外側スリーブの内部に向けて折り曲げられて内側スライドカード保持要素を形成する、第２折曲可能延長部と、
前記スライドカードロック機構に近接して位置付けられた解放機構と、
を有することを特徴とするブランク。
【請求項９】
前記スライドカードロック機構が、前記側面パネルそれぞれに位置する切取部の形態をなすことを特徴とする請求項８に記載のブランク。
【請求項１０】
前記切取部が、内側スライドカードの縁部と係合するためのノードをさらに有することを特徴とする請求項９に記載のブランク。
【請求項１１】
前記解放機構が、前記側面パネルそれぞれに位置する解放ボタンの形態をなすことを特徴とする請求項８に記載のブランク。
【請求項１２】
当該ブランクの一面または両面の少なくとも一部にわたって積層されたポリマーフィルム材料をさらに有することを特徴とする請求項８に記載のブランク。
【請求項１３】
パッケージシステムであって、
共通の折曲可能接続パネルの縁部において結合された一対の外側スリーブであって、当該パッケージシステムが、当該外側スリーブそれぞれに内側スライドカードを受容しかつ収容する、外側スリーブを備え、
前記外側スリーブそれぞれが、複数の側面パネルと複数の折曲可能接続パネルとからなり、
前記側面パネルと前記折曲可能接続パネルとが、互いに動作可能に接続され、
前記側面パネルの少なくとも１つが、当該側面パネルの折曲可能延長部を有し、
前記折曲可能延長部が、前記外側スリーブの内部に向けて折り曲げられて当該パッケージシステムの底部を形成し、
前記側面パネルの１つが、内側スライドカード保持要素と、スライドカードロック機構と、を有し、
複数の前記側面パネルの別の１つが、解放機構を有することを特徴とするパッケージシステム。
【請求項１４】
前記外側スリーブそれぞれが、内側スライドカードを把持し取り出すための一対のノッチをさらに有することを特徴とする請求項１３に記載のパッケージシステム。
【請求項１５】
前記内側スライドカードが、１以上のブリスタパック、基板に熱融着されたブリスタパック、基板に接着された（例えばホットメルトされた）ブリスタパックまたはスロットが形成された基板に入れられたブリスタパックからなることを特徴とする請求項１４に記載のパッケージシステム。
【請求項１６】
前記外側スリーブが、ポリマーフィルム材料で少なくとも部分的に積層されていることを特徴とする請求項１３に記載のパッケージシステム。
【請求項１７】
前記ポリマーフィルム材料が、前記外側スリーブの全面にわたって積層されていることを特徴とする請求項１６に記載のパッケージシステム。
【請求項１８】
前記外側スリーブが、板紙またはプラスチック基板から構成されていることを特徴とする請求項１３に記載のパッケージシステム。
【請求項１９】
前記外側スリーブの受容端部が、取り外されて内部に収容された前記内側スライドカードへのアクセスをもたらす１以上の折込式閉鎖部、穿孔された引裂式パネル及びセキュリティテープ付パネルのうちの１つからなる一時シールを有することを特徴とする請求項１３に記載のパッケージシステム。
【請求項２０】
共通の折曲可能接続パネルの縁部に沿って結合された一対のロック可能な外側スリーブを形成するためのブランクであって、
前記外側スリーブそれぞれが、内側スライドカードを収容可能であり、
当該ブランクが、
複数の側面パネルと、
複数の折曲可能接続パネルと、
を備え、
前記側面パネルの少なくとも１つが、内側スライドカード保持要素を形成する当該側面パネルの延長部を備え、
当該ブランクの前記側面パネルの少なくとも１つが、スライドカードロック機構をさらに備え、
前記側面パネルの少なくとも別の１つが、解放機構を備え、
前記側面パネルの少なくとも１つが、底部を形成するための折曲可能延長部をさらに備えることを特徴とするブランク。
【請求項２１】
前記スライドカードロック機構が、前記側面パネルそれぞれに位置する切取部の形態をなすことを特徴とする請求項２０に記載のブランク。
【請求項２２】
前記切取部が、内側スライドカードの縁部と係合するためのノードをさらに有することを特徴とする請求項２１に記載のブランク。
【請求項２３】
前記解放機構が、前記側面パネルそれぞれに位置する解放ボタンの形態をなすことを特徴とする請求項２０に記載のブランク。
【請求項２４】
当該ブランクの一面または両面の少なくとも一部にわたって積層されたポリマーフィルム材料をさらに有することを特徴とする請求項２０に記載のブランク。
【請求項２５】
外側スリーブを有するパッケージシステムであって、
前記外側スリーブが、
一対の側面パネルと、
区分パネルと、
複数の折曲可能接続パネルと、
を備え、
前記側面パネル、前記区分パネル及び前記折曲可能接続パネルが、互いに動作可能に接続され、前記区分パネルが、一対の前記側面パネル間に配置されてそれぞれが内側スライドカードを受容しかつ収容することが可能な２つの別個の内側チャンバを画定することを特徴とするパッケージシステム。
【請求項２６】
一対のスライドカードをさらに備え、
前記スライドカードそれぞれが、当該スライドカードを前記外側スリーブ内に保持することが可能なように構成された延長パネルを有することを特徴とする請求項２５に記載のパッケージシステム。
【請求項２７】
前記側面パネルそれぞれが、第１折曲可能延長部をさらに有し、
前記第１折曲可能延長部が、対応する前記スライドカードの折曲可能延長部と係合するように構成され、前記スライドカードを前記外側スリーブ内に保持することを可能とすることを特徴とする請求項２６に記載のパッケージシステム。
【請求項２８】
前記スライドカードそれぞれが、第１位置と第２位置との間で移動可能であり、
前記側面パネルそれぞれが、切取部と解放ボタンとをさらに有し、
前記切取部が、前記スライドカードが前記第１位置にあるときに前記スライドカードの前記折曲可能延長部と係合するように構成され、
前記解放ボタンが、前記切取部から前記スライドカードの前記折曲可能延長部を係合解除し、前記スライドカードを前記第２位置に移動させることを可能とするように構成されていることを特徴とする請求項２６に記載のパッケージシステム。
【請求項２９】
前記側面パネルそれぞれが、前記スライドカードを前記第２位置に移動させたときに対応する前記スライドカードの折曲可能延長部と係合し、前記スライドカードを前記外側スリーブ内に保持することを可能とするように構成された第１折曲可能延長部をさらに備えることを特徴する請求項２８に記載のパッケージシステム。
【請求項３０】
前記側面パネルそれぞれが、前記切取部に近接して形成されたノードをさらに有することを特徴とする請求項２５に記載のパッケージシステム。
【請求項３１】
前記スライドカードそれぞれが、単位用量の薬品を有することを特徴とする請求項２６に記載のパッケージシステム。
【請求項３２】
２つのチャンバを備える外側スリーブであって、前記チャンバそれぞれが、ロック機構と解放機構と保持機構とを備える、外側スリーブと、
前記スリーブの前記チャンバの１つの中にそれぞれ収容される２つのスライドカードであって、当該スライドカードが、ロック／保持機構を有し、当該スライドカードそれぞれが、第１位置と第２位置との間で移動可能である、２つのスライドカードと、
を備え、
前記スライドカードの前記ロック／保持機構が、前記スライドカードが前記第１位置にあるときに、前記外側スリーブの前記ロック機構と係合し、
前記外側スリーブの前記解放機構が、前記スライドカードが前記第１位置にあるときに、前記外側スリーブの前記ロック機構から前記スライドカードの前記ロック／解放機構を係合解除するように構成され、
前記スライドカードの前記ロック／解放機構が、前記スライドカードが前記第１位置から前記第２位置に移動されるときに、前記外側スリーブの前記保持機構と係合するように構成されていることを特徴とするパッケージシステム。
【発明の詳細な説明】
【発明の概要】
【課題を解決するための手段】
【０００１】
本発明における二重用量包装は、一対の内側スライドカードと外側スリーブとからなる。外側スリーブと内側スライドカードとは、例えばプラスチック、板紙、必要に応じて例えばホイルまたはポリマーフィルムなど板紙と別の折曲可能な材料との積層体のような任意の適切な材料から切り取られる。この基板の選択は、包装する必要性にしたがってなされており、したがって、ＦＤＡによって一般的に安全として認識されている（ＧＲＡＳ）基板材料は、本発明の範囲内にある。特定の形態において、基板は、漂白クラフト板(bleached sulfate board)、無地無漂白クラフト板(solid unbleached sulfate board)（ＳＵＳ）、クレー被覆新聞再生紙(clay-coated newsback)（ＣＣＮＢ）または好ましくは約０．００８インチ（０．２０ｍｍ）から約０．０５０インチ（１．３ｍｍ）までの厚さの範囲にある基板のような任意の適切な板紙基板のシートから選択される。例えば、板紙は、澱粉または粘着剤との塗装粘土(coating clay)、炭酸カルシウム及び／もしくは二酸化チタンまたはこれら材料のさまざまな組み合わせから選択された無機顔料の流動混合物のような被覆によって、一面がクレー被覆され（Ｃ１Ｓ）または両面がクレー被覆され（Ｃ２Ｓ）ている。一連の緻密化及び（カレンダ加工を経た）研磨は、高度な平滑性に各被覆面を仕上げ、被覆面を優れた品質の画像印刷に適するようにさせる。
【０００２】
第１形態において、外側スリーブは、一対の側面パネルと、包装の幅広面を形成する内側区分パネルと、を有し、これら側面パネル及び内側区分パネルは、複数の折曲可能接続パネルによって動作可能に接続されている。外側スリーブの構成は、それぞれが個別の内側スライドカードに適合する２つのチャンバを形成する。各側面パネルは、スライドカードロック機構を有する一方で、擬似底部を外側スリーブに設ける一対の延長パネルは、解放機構を有する。スライドカードロック機構は、側面パネルに位置する解放ボタンの形態をなしている一方、スライドカードロック手段は、延長パネル内の内側スライドカードの延長部と係合するためのノードを有する切取領域からなる。
【０００３】
基板材料の選択に応じて、スリーブの不浸透性を改善する別の手段は、ブランクの一面または両面の少なくとも一部をポリマーフィルムで積層することを含む。このように、パッケージの外側は、引き裂きに対するさらなる耐性を有する。状況に応じて、この積層は、スリーブブランクの全面にわたって延在しなくてもよい。例えば、引き裂けやすい領域のみが積層を必要としてもよい。適切な積層材料は、例えば、高密度ポリエチレン（ＨＤＰＥ）ポリオレフィンのような２軸配向のもしくは交差積層のポリマーフィルム、例えばMylar（商標）などのポリエステル、またはこれらの組み合わせから選択されてもよい。関連する形態において、引裂耐性は、例えばテープのようなポリマーフィルムの１以上のストリップをこれら領域を覆うように付けることによって、パッケージの角部及び露出している縁部のような応力点にもたらされる。一方の態様において、ポリマーフィルムは、押出成形もしくは接着型積層によって、または技術的に公知の他の適切な手段によって、主としてブランクの内面である側に付けられてもよい。この処置が引裂耐性を著しく増大させかつ外側スリーブにおいて引裂きが伝搬することを防止することは、見出された。好ましくは、全体的な積層フィルムも選択的に付けられたフィルムストリップも、パッケージの美的外観を損ねず、印刷可能なまたは他の適切な表示機能を損ねない。文字または図形情報は、技術的に従来から公知の手段にしたがって、スリーブにまたは内側スライドカードの表面に印刷されてもよい。
【０００４】
パッケージの外側スリーブは、内側スライドカードに対する追加の保護を提供し、この内側スライドカードは、使用される単位用量製品を収容する。内側スライドカードは、主として内側スライドカードの折返延長部である停止機構を有し、ユーザが内側スライドカードを外側スライドカードから離間するように完全に引き出すことを防止する。
【０００５】
状況に応じて、パッケージ全体の構造的な剛性を改善する他の目の端手段を組みこんでもよい。このような機能は、上述のように、スライドカードをポリマーフィルムで積層することを含み、これは、引裂耐性を改善する。
【図面の簡単な説明】
【０００６】
【図１】第１実施形態における外側スリーブを示す平面図である。
【図２】第１実施形態におけるパッケージを示す第１の等角図である。
【図３】第１実施形態におけるパッケージを示す第２の等角図である。
【図４】第１実施形態におけるパッケージを示す第３の等角図である。
【図５】第２実施形態における外側スリーブを示す平面図である。
【図６】第２実施形態におけるパッケージを示す第１の等角図である。
【図７】第２実施形態におけるパッケージを示す第２の等角図である。
【図８】第２実施形態におけるパッケージを示す第３の等角図である。
【発明を実施するための形態】
【０００７】
本明細書に示されかつ記載される実施形態は、単一パッケージングソリューション(packaging solution)に単位用量を収容する複数の内側スライドカードを有する能力を付与する。このタイプの包装は、パッケージングソリューションに含まれる単位用量の数を増大させ、チャイルドセーフティ(child safety)及びシニアフレンドリー(senior friendly)な態様を維持する一方で、単位用量を包装するのに必要な材料を十分に低減する。
【０００８】
図１は、第１実施形態における外側スリーブを示す平面図である。外側スリーブは、ブランク１００から形成されており、このブランクには、一対の側面パネル１０、２０と、内側区分パネル３０と、一対の折曲可能接続パネル１５と、一対の内側区分折曲可能接続パネル２５と、第１の一対のミシン目が入れられた延長パネル３５と、第２の一対の延長パネル４０と、を形成するために、ミシン目が入れられている。
【０００９】
外側スリーブを形成するため、一方の内側区分折曲可能接続パネル２５は、側面パネル２０に対して直角に折り曲げられる。そして、内側区分パネル３０は、折り曲げられた内側区分折曲可能接続パネル２５に対して直角に折り曲げられており、内側区分パネル３０は、側面パネル２０と平行かつ側面パネル２０の下方に位置する。次に、他方の内側区分折曲可能接続パネル２５は、内側区分パネル３０から下方に直角に折り曲げられる。続いて、側面パネル１０、２０双方に結合された折曲可能接続パネル１５は、下方に直角に折り曲げられる。この折曲可能接続パネル１５は、内側区分折曲可能接続パネル２５の幅の約２倍である。このため、パネル２５は、内側区分パネルが折曲可能接続パネル１５とパネル１５の幅のほぼ中間で垂直に交差するように下方に延在している。そして、側面パネル１０は、直角に折り曲げられており、側面パネル１０は、ここで、内側区分パネル３０及び側面パネル２０と平行かつ内側区分パネル３０及び側面パネル２０の下方にある。次に、他方の折曲可能接続パネル１５は、上向きに直角に折り曲げられ、側面パネル２０の反対側の端部に（例えば接着剤を用いて）当接固定されており、３次元の直方体の箱を完成する。
【００１０】
第１の一対のミシン目が入れられた延長パネル３５それぞれは、側面パネル１０及び２０それぞれの一端から延在する。ミシン目が入れられたこれら延長パネル３５は、処置位置で堅固にスライドカードインサートを維持するように設計されたロック機構をさらに有する。ロック機構は、ノード５０を有する延長パネル３５内の切取領域４５からなる。ミシン目が入れられた延長パネル３５は、ミシン目線に沿って折り曲げられており、側面パネル１０、内側区分パネル３０及び側面パネル２０からなる外側スリーブの連続によって画定されるチャンバそれぞれ内に挿入されかつ固定される。挿入すると、ミシン目が入れられた延長パネルは、パッケージ全体に対する底部を形成する。ここで、ロック機構（切取領域４５及びノード５０）は、画定されたチャンバ内にあり、ロック機構をチャンバに挿入するとスライドカードインサートと動作可能に結合する。
【００１１】
第２の一対の延長パネル４０それぞれは、側面パネル１０及び２０それぞれの反対側の端部から延在する。これら延長パネル４０は、切取ノッチ５５をさらに有する。これら延長パネル４０は、下方に折り曲げられ、側面パネル１０、２０及び内側区分パネル３０によって画定されるチャンバの開口部に押し込まれる。これら延長パネル４０は、チャンバ内で特定の面にシールされていない。切取ノッチ５５は、ほぼ円形をなしており、円の半分は、側面パネル１０、２０に存在し、他方の半分は、延長パネル４０に存在する。延長パネル４０がチャンバの開口部に折り曲げられると、ノッチ５５は、半円形の切取部となり、この切取部は、スライドカードインサートを十分に露出させており、ユーザは、把持してスリーブからスライドカードインサートを引き出す。これら延長パネル４０の主目的は、スライドカードインサートのための保持要素として機能することである。スライドカードインサートを外方に引くと、スライドカードインサートは、スライドカードインサートにある相反の要素が延長パネル４０と係合するまで、伸張する。
【００１２】
各側面パネル１０、２０は、解放ボタン６０の形態をなす解放機構をさらに有する。スライドカードインサートを解放してスライドカードインサートを外側スリーブ内のそのチャンバから引き出すため、ユーザは、連続的に、ノッチ５５を介してスライドカードインサートを一方の手で把持し、そして、彼の他方の手で解放ボタン６０を押下する。解放ボタン６０は、スライドカードインサートを下方に押し下げ、スライドカードを延長パネル３５に位置するロック機構４５、５０から外す。
【００１３】
図示しないが、画定されたチャンバの開口端は、スライドカードがアクセス可能となる前にシールを取り外すように一時的にシールされている。これは、この包装を利用する特定の市販（over-the-counter：ＯＴＣ）製品の購入前にスライドカードの内容物にアクセスすることを防止する。例えば折込式閉鎖部、穿孔された引裂式パネル、セキュリティテープ付パネルなどで端部をシールしてもよい。
【００１４】
図２は、第１実施形態におけるパッケージを示す第１の等角図である。この図は、完全に形成されかつ一対の内側スライドカード７０、８０を収容する外側スリーブを示している。解放ボタン６０及びノッチ５５は、側面パネル１０に視認可能である。
【００１５】
図３は、第１実施形態におけるパッケージを示す第２の等角図である。この図は、図２と同様であるが、外側スリーブから部分的に取り出された内側スライドカード７０、８０をさらに示している。
【００１６】
図４は、第１実施形態におけるパッケージを示す第３の等角図である。この図は、図２及び図３と同様である。今度は、内側スライドカード７０、８０は、外側スリーブから完全に取り出されて示されており、内側スライドカードに保存されている個別の用量は、露出され、アクセス可能である。
【００１７】
図５は、第２実施形態における外側スリーブを示す平面図である。この実施形態において、２つの別個の外側スリーブパッケージは、共通の折曲可能接続線５７０に沿って互いに結合されている。外側スリーブは、ブランク５００から形成されており、このブランクには、６つのパネルを形成するためにミシン目が入れられている。各外側スリーブは、共通の折曲可能接続線によって分離された３つのパネルを有しており、１組の３つのパネルは、他方の組の３つのパネルの反転鏡像である。一方の外側スリーブを形成するため、第１パネル５１０Ａは、下方に折り曲げられて例えば接着剤を用いて第２パネル５３０Ａの下方に固定され、パネル５１０Ａは、形成された外側スリーブの内部に位置付けられる。側面パネル５１０Ａ、５２０Ａ、５３０Ａそれぞれは、１組の折曲可能接続パネル５１５Ａによって分離されている。折曲可能接続パネル５１５Ａは、外側スリーブに深さ成分をもたらし、単位用量を収容する内側スライドカードを受けかつ収容するように構成された内側チャンバを形成する。
【００１８】
パネル５１０Ａは、延長パネル５２５Ａを有しており、この延長パネルは、内側スライドカードが外側スライドカードから完全に引き出されることを防止する停止デバイスとして機能する。第３パネル５２０Ａは、追加の延長部５４０Ａを有しており、この延長部は、パネル５２０Ａの中央に向けて折り曲げられてパッケージを強化する底部を形成し、これによりパッケージにさらなる不正開封防止機能を付与する。延長パネル５４５Ａは、延長パネル５４０Ａと重なりかつ延長パネル５４０Ａに固定され、外側スリーブパッケージの底部を完成する。パネル５１０Ａは、ノード５５５Ａを有する切取領域５６０Ａをさらに有する。切取領域５６０Ａ、ノード５５５Ａ及び解放ボタン５６５Ａと延長パネル５２５Ａとは、パッケージのためのロック組立体を共に形成する。ロック機構は、参照として本明細書に組み込まれる特許文献１に記載されたロック機構と同様に作動する。また、ブランク５００は、切取領域５５０Ａを有しており、この切取領域は、共に折り曲げられると、ノッチ５５２Ａと対になるノッチを形成する。
【００１９】
反対側の側面パネル５１０Ｂ、５２０Ｂ、５３０Ｂと折曲可能接続パネル５１５Ｂとは、上述のように同様の方法で折り曲げられ、第２外側スリーブを形成する。いったん折り曲げると、共通の折曲可能接続線５７０に沿って密接に結合された２つの別個の外側スリーブユニットとなる。各外側スリーブは、内側スライドカードを収容することが可能である。
【００２０】
ロック機構５５５Ａ、５６０Ａ、５５５Ｂ、５６０Ｂは、図１から図４に関する上述のように、解放ボタン５６５Ａ、５６５Ｂと連動して作動する。同様に、延長パネル５３５Ａ、５３５Ｂは、外側スリーブによって区画されたチャンバ内から完全に引き出されることから内側スライドカードを保持するように機能する。
【００２１】
図６は、第２実施形態におけるパッケージを示す第１の等角図である。この図は、互いに部分的に分離された共通の折曲可能接続線で結合された外側スリーブ双方を示している。上側の外側スリーブにおいて、側面パネル５３０Ａは、視認可能であり、解放ボタン５６５Ａ及びノッチ５５２Ａを有している。また、一方の折曲可能接続パネル５１５Ａと底部を形成する延長パネル５４５Ａとが視認可能である。下側外側スリーブにおいて、側面パネル５２０Ｂ、折曲可能接続パネル５１５Ｂ及びノッチ５５２Ｂが視認可能である。
【００２２】
図７は、第２実施形態におけるパッケージを示す第２の等角図である。この図は、互いに分離していない状態で共通の折曲可能接続線５７０において結合された外側スリーブ双方を示している。上側外側スリーブにおいて、側面パネル５３０Ａは、視認可能であり、解放ボタン５６５Ａ及びノッチ５５２Ａを有する。同様に、一方の折曲可能接続パネル５１５Ａが視認可能である。下側外側スリーブにおいて、折曲可能接続パネル５１５Ｂと底部を形成する延長パネル５４５Ｂとが視認可能である。
【００２３】
図８は、第２実施形態におけるパッケージを示す第３の等角図である。図８は、図７と同様であるが、図８は、内側スライドカード５８０Ａ、５８０Ｂを示しており、この内側スライドカードは、内側スライドカード５８０Ａ、５８０Ｂに収容されている単位用量が露出されかつアクセス可能となる範囲まで外側スリーブのチャンバから引き出されている。
【００２４】
上記記載は、挿入されパッケージから引き出されるスライドカードに言及している。スライドカードは、一般的には、普通ブリスタパックと称されるものに収容された複数の単位用量を保持している。このため、スライドカードは、もっぱらブリスタパック、基板に熱融着されたブリスタパック、基板に接着された（例えばホットメルトされた）ブリスタパック、またはスロットが形成された基板に入れられたブリスタパックの形態をなす。
【００２５】
本発明におけるパッケージは、内側スライドカードを収容する２つのブリスタパックに適合でき、軽量であり、不正開封防止機能を有し、シニアフレンドリーであり、耐久性があり、組み立てが容易であり、消費されるまで各単位ユニットの保護を提供し、かつ経済的であるという有利点をもたらす。さらに、本発明は、チャイルドレジスタント(child resistant)であるがユーザフレンドリーである単位用量パッケージ容器を提供し、このパッケージ容器は、さまざまな内容物を収容しかつ分配するために使用される。パッケージにおける改良した不正開封防止機能は、少なくとも部分的に、欠陥のある底部支持構造と、ずらされたノッチの配置と、パッケージのスリーブ及びスライドカードの構造体において部分的にまたは完全に積層された構造材料を用いることと、に起因していると考えられる。適切には、パッケージは、例えば繰り返しの定期的な用量の処方を必要とする市販薬の調合に使用される。本明細書で使用するように、用語「医薬品」は、所定のもしくは市販の薬もしくはサプリメント、ビタミンまたは他の薬品、またはホイル／板紙のもしくはプラスチックの構造からなるパッケージに収容することに適した他の材料を含むことを意図している。
【００２６】
本発明が本明細書で詳細に発明されていないとはいえ当業者によって本開示から理解されるさまざまな他の実施形態を含むと考えられている。したがって、本開示は、上記実施例のみにまたは示された好ましい実施形態のみに限定して読むべきでない。
【符号の説明】
【００２７】
１０，２０  側面パネル，パネル、１５  折曲可能接続パネル，パネル、２５  内側区分折曲可能接続パネル、３０  内側区分パネル、３５  第１の延長パネル、４０  第２の延長パネル、４５，５５０Ａ，５５０Ｂ，５６０Ａ，５６０Ｂ  切取領域，ロック機構、５０，５５５Ａ，５５５Ｂ  ノード，ロック機構、５５，５５２Ａ，５５２Ｂ  切取ノッチ，ノッチ、６０，５６５Ａ，５６５Ｂ  解放ボタン、７０，８０，５８０Ａ，５８０Ｂ  内側スライドカード、１００，５００  ブランク、５１０Ａ，５１０Ｂ  側面パネル，第１パネル，パネル、５１５Ａ，５１５Ｂ  折曲可能接続パネル、５２０Ａ，５２０Ｂ  側面パネル，第３パネル、パネル、５２５Ａ，５２５Ｂ  延長パネル、５３０Ａ，５３０Ｂ  側面パネル，第２パネル，パネル、５３５Ａ，５３５Ｂ  延長パネル、５４０Ａ，５４０Ｂ  延長パネル，延長部、５４５Ａ，５４５Ｂ  延長パネル、５７０  折曲可能接続線
【図１】
2011519787.tif 000003
【図２】
2011519787.tif 000004
【図３】
2011519787.tif 000005
【図４】
2011519787.tif 000006
【図５】
2011519787.tif 000007
【図６】
2011519787.tif 000008
【図７】
2011519787.tif 000009
【図８】
2011519787.tif 000010
【国際調査報告】
2011519787.tif 000011
2011519787.tif 000012